(57)【要約】      （修正有）【課題】海中発電船より生じる大量の排海水を順次深海外海部分へ放出を行なう排出稼働装置を提供する。【解決手段】第二海中容器水槽内に規定水位部分迄海水の注入が行なわれると第二深海水逆流防止扉が閉じられる。次にＡ、Ｂの各排海水放出扉が開扉され、排海水放出設備筒塔内に残った空間部分に喫水線部分迄の海水が侵入する。既に上部水槽内の逆走予備扉Ｃは閉鎖されている為に一部の排海水放出設備筒塔内に滞留する空気は気泡となって第二海中容器水槽内に侵入するが、大量の排海水の落下侵入する流水圧に抗する事は出来ない為に瞬時に排海水放出設備筒塔内のうねり筒内と外回転翼部内に排海水が侵入し、同時にその侵入した排海水の放出の為に両設備のうねり回転運動による下方への排海水の押し出し放出力の加速継続と、次々と上部排海水口より降り注ぐ大量の排海水の為に、より強力な各うねり筒の回転が継続され、排海水は瞬時に深海外海へ排水される。【選択図】図１
2013173511.tif 000002
【特許請求の範囲】
【請求項１】
各発電設備よりの排海水が第一海中容器水槽から第二海中容器水槽内へと次々と排海水が送入されその第二海中容器水槽内に規定された水位部分迄海水の注入が行なわれると、その第二水槽内の残った空気の噴出防止等の為に「第二深海水逆流防止扉」が閉じられる事となる。
そして同水槽内の真空状態等の解消の為に高圧空気注入の空気注入口（Ｅ）部分を設ける事とする。
まず第二海中容器水槽内に規定された水位部分迄海水の注入が行なわれると「第二深海水逆流防止扉」が閉じられる事となる。
次にＡ、Ｂの各排海水放出扉が開扉されると「排海水放出設備筒塔」内に残った空間部分に海中空間内の海上面部分よりの高水圧の海水の侵入が行なわれるが、既に「第二海中容器水槽」内の逆走予備扉Ｃは閉ざされておる為に、一部の空気は気泡となって第二海中容器水槽内に侵入が行なわれるが、排水放出扉（Ａ）、（Ｂ）の各開扉に依る大量の上部部分からの排海水の落下侵入する高圧の流水圧には全く抗する事は当然出来ない為に瞬時のうちに「排海水放出設備筒塔」内のうねり筒内と「外回転翼部分」内に排海水の侵入が行なわれ、同時にその侵入がされた排海水を放出の為に両設備のうねり回転放出に依る継続的な排海水の押し出される形にての海中空間内の「海中空間海上面」部分えと強力な降下流水圧流となって排海水処理が行なわれる事となる。
そしてその時により大量で軽快に継続して放出さす為に、まず「深海海中水面上昇防止翼」の設置を行ない、既に喫水線部分迄の海水の侵入が行なわれた「海水侵入上昇口」部分近辺の上昇水圧は大きく減少し、前記上昇防止翼を「排海水放出設備筒塔」部分をほぼ包囲する形で設置を行ない残りの深海上昇水圧の力の大半を本設備にて防止する形で設置を行ない、「排海水放出設備筒塔」よりの排海水は残された円周部分の端部分の各々「排海水放出口」より排海水が行なわれる事となり、「排海水放出設備筒塔」よりの排海水は全く想像が出来なかった位に深海放出時の高圧水圧の抵抗の軽減が行なわれる事となる。
又海中空間海上面部分に空器容器を設置する事に依り、その「深海海中水面上昇防止翼」部分の強固な海中設置の為と海中空間内の海上面部分の安定した上昇抑止防止堤となり本空気容器の設置面積の比率が上昇すればする程浮力は当然強力となるが反対に「深海海中水面上昇防止翼」に面する深海上昇水圧が大きく押さえ込まれる事となる。
そして浮力の部分の対応は「船中噴海水侵入部分」の拡大設置、山石等の重量物の大量投入設置等、又海底固定設置ロープ等の増本数に依り対応が出来る事となり、大容量の排海水が行なえる事となり、海中発電の最大の難関である深海での排海水処理が大きく前進する事となる。
【発明の詳細な説明】
【技術分野】
【０００１】  本発明は海中発電船より生じる大量の排海水を順次深海外海部分え放出を行なう排出稼働装置である。【０００２】  巨大海中船より生じる排海水の大量排出を行なうものである。【０００３】  以上の通り図１〜図３により説明をする。【０００４】  第二海中容器水槽内に規定された水位部分迄海水の注入が行なわれると「第二深海水逆流防止扉」が閉じられる事となる。
そして次に（Ａ）（Ｂ）の各排海水放出扉が開扉されると「排海水放出設備筒塔」内に残った空間部分に喫水線部分迄の上昇を目指す海中空間内の水位と同じ海上面水位部分よりの自然の摂理による高水圧の海水の侵入が行なわれるが、既に上部水槽内の逆走予備扉Ｃは閉鎖されている為に一部の「排海水放出設備筒塔」内に滞留する空気は気泡となって第二海中容器水槽内に侵入が行なわれるが、次々と大量の排海水の落下侵入する流水圧には全く抗する事は当然出来ない為に瞬時に「排海水放出設備筒塔」内のうねり筒内と「外回転翼部内」に排海水の侵入が次々と行なわれ、同時にその侵入がされた排海水を放出の為に両設備のうねり回転運動の継続稼動による下方方向えの排海水の押し出し放出力の加速継続と、次々と上部排海水口より降り注ぐ大量の排海水の為に、より強力な各うねり筒の回転が継続される事となり、次々と海中空間海上面部分へと降下流水圧流となって放出が行なわれ、その放出が行なわれた排海水は瞬時に深海外海えと排水が行なわれる事となる。
当然排水による周囲の海中空間部分の海面水位の変動等は全く起こり得ない為に毎時数千ｔ数万ｔの排水も簡単に行なわれる事となる。【０００５】
【特許文献】特にありません。
【発明の概要】
【発明が解決しようとする課題】  今迄は世界中で誰１人として興味を示さなかった事は事実であり図３の如く大変に水深の浅い場所にて本設備の設置を行なえば大変な経験が得られ水深の差は必ず理解と屈服しない決意さえあれば必ず次々と前進し必ず成功するものである。
【課題を解決するための手段】  出来るだけ海中での状態を把握する為に私自身としては自宅で簡単な実験装置を造り、ほぼ海中での構想にほぼ近い状態での視認を数十回となく繰り返したものであり、１番水圧が強く感じられる事は当然浮力に対する水圧である事も充分に理解が出来てその対策の為に本申請中に記してある通り海中船中心部分に喫水線噴出口部分に出来るだけ大きな深海部分に繋がる「海上プール」等を設けるとその水圧部分が大きく解消される事を発見理解したものである。
【発明の効果】  喫水線部分に設置を行なう「海上プール」の設置による、最大の懸案である「水深圧」への恐怖が大きく解消される事となり、ただの水深に対する恐怖のみとなるが鯨、鮪に人類が負ける事は無い事を念頭に理解するべきである。
【図面の簡単な説明】
【図１】別図の通り深海海中に於いての大量の排海水方法を詳細図として図示したものである。
【図２】「深海海中水面上昇防止翼」と「空気容器」等の設置による諸設備の詳細図である。
【図３】水深の浅い部分での排海水設備の全体設置図である。
【発明を実施するための形態】
〔図１〕
海中空間下の深海外海部分よりの海上喫水線迄の海水の侵入を行ない、海中発電船内に中心安定軸の設置を行なう事と、「第二海中容器水槽」内の放出扉（Ａ）（Ｂ）よりの排水図とその排水管内部分に「高圧空気、高圧海水逆走防止弁」の設置を行ない、より強固な防水圧逆流装置を活用し、大量の排海水を順調に外海に排出を行なう詳細図である。
〔図２〕
「排海水放出設備筒塔」部分の詳細図とより深海での逆流高水圧の２重３重の防圧の為に「深海海中水面上昇防止翼」の設置と、その上昇防止翼部分の海中設置安定と同時に海中水面の上昇の阻止を狙った「空気容器」（Ｈ）（Ｓ）の設置を行ない、「排海水放出設備筒塔」の大量の排海水の活躍を側面から大いに助ける設備となる設置詳細図である。
〔図３〕
水深の大変に浅い場所での排海水設備であれば水圧に対する恐怖が全く違う事となるが、水深５４ｍの処でも普通の形の魚が生息している事実を、是非念頭に入れて水深への恐怖を考えてもらい、宇宙開発等とは比べものにならない位の事業である事を理解すべきである。
【図１】
2013173511.tif 000003
【図２】
2013173511.tif 000004
【図３】
2013173511.tif 000005